(57)【要約】【課題】遠隔地の人間の監視において、遠隔地の人間のプライバシーを保護し、監視の開始／終了のトリガーが明確である監視装置を提供する。【解決手段】監視装置１００に、入出力部３５０およびリモコン信号受信部３５４を設ける。制御部３１０は、テレビジョン受信機４００のリモートコントローラからリモコン信号受信部３５４を介して電源のオンを指示する信号を受け取ったことに応答し、記憶部３２０に記憶されている所定の装置のアドレスに、画像データおよび音声データを送信することで、遠隔地の人間の監視を開始する。【選択図】図２
2007201739.tif 000002
【特許請求の範囲】
【請求項１】
通信ネットワークを介して他の装置と画像データを送受信する監視装置であって、
当該監視装置の使用者の存在予定位置の画像を撮像して使用者画像データを出力する撮像手段と、
テレビジョン受信機のリモートコントローラからの電源のオンを指示するオン指示信号を傍受する信号傍受手段と、
前記信号傍受手段がオン指示信号を傍受したことに応答し、所定の装置に画像データの送信許諾を求める許諾要求データを送信する送信許諾請求手段と、
前記所定の装置から画像データの送信の許可／拒否のデータを受信する送信許諾受信手段と、
前記送信許諾受信手段が前記所定の装置から画像データの送信の許可のデータを受信した場合、前記撮像手段が出力した画像データを表示用に前記所定の装置に送信する画像送信手段と、
から構成されることを特徴とする監視装置。
【請求項２】
タッチパネルを備え、当該タッチパネルの押圧位置に基づいて、前記撮像手段が出力した画像データを送信する一の装置を判別する装置判別手段と、
前記装置判別手段により判別された一の装置から送信された装置画像データを受信する画像受信手段と、
装置画像データをテレビジョン受信機に出力する画像出力手段と、
をさらに備え、
前記画像送信手段は、使用者画像データを前記装置判別手段により判別された一の装置に送信する、
ことを特徴とする請求項１に記載の監視装置。
【請求項３】
前記送信許諾請求手段は、前記装置判別手段により判別された一の装置に、使用者画像データの送信許諾を求めるデータを送信し、
前記送信許諾受信手段は、前記装置判別手段により判別された一の装置から、使用者画像データの送信の許可／拒否のデータを受信し、
前記画像送信手段は、前記装置判別手段により判別された一の装置から使用者画像データの送信を許可するデータを前記送信許諾受信手段が受信した場合、使用者画像データを前記装置判別手段により判別された一の装置に送信する、
ことを特徴とする請求項２に記載の監視装置。
【発明の詳細な説明】
【技術分野】
【０００１】
本発明は、ネットワークを介して遠隔地の人間の監視を支援する監視装置に関する。
【背景技術】
【０００２】
画像および音声を用いて、遠隔地の人間とコミュニケーションを行う技術として、テレビ会議という技術が知られている（たとえば、非特許文献１参照）。
【０００３】
近年、テレビ会議の技術により、一般家庭のユーザや介護業者が、遠隔地の人間（特に遠隔地に住む在宅の高齢者や在宅の要介護者）を、画像および音声を用いたコミュニケーションを行うことで監視している。この遠隔地の人間の監視は、特定の場所に設置したカメラからの常時監視が一般的である。
【非特許文献１】「２０００年版情報・通信新語辞典」日経ＢＰ社、１９９９年９月２７日、ｐ．１５４
【発明の開示】
【発明が解決しようとする課題】
【０００４】
遠隔地の人間が常時監視される場合は、その人間のプライバシーが守られないという問題があった。また、常時監視を防ぐために、監視の開始／終了のトリガーとして屋内の照明の明るさを検知するセンサや温度センサ等を用いるテレビ会議システムも存在するが、これらのセンサは明るさや温度等を正確に検知できないことが多く、監視を正確に行えないという問題があった。
このような状況は、遠隔地の人間の監視装置の普及を阻害する。
【０００５】
本発明は、上記問題点に鑑みてなされたものであり、遠隔地の人間の監視において、遠隔地の人間のプライバシーを守り、監視の開始／終了のトリガーが明確である監視装置を提供することを目的とする。
【課題を解決するための手段】
【０００６】
上記課題を解決するため、本発明の観点に係る監視装置は、
通信ネットワークを介して他の装置と画像データを送受信する監視装置であって、
当該監視装置の使用者の存在予定位置の画像を撮像して使用者画像データを出力する撮像手段と、
テレビジョン受信機のリモートコントローラからの電源のオンを指示するオン指示信号を傍受する信号傍受手段と、
前記信号傍受手段がオン指示信号を傍受したことに応答し、所定の装置に画像データの送信許諾を求める許諾要求データを送信する送信許諾請求手段と、
前記所定の装置から画像データの送信の許可／拒否のデータを受信する送信許諾受信手段と、
前記送信許諾受信手段が前記所定の装置から画像データの送信の許可のデータを受信した場合、前記撮像手段が出力した画像データを表示用に前記所定の装置に送信する画像送信手段と、
から構成されることを特徴とする。
【０００７】
タッチパネルを備え、当該タッチパネルの押圧位置に基づいて、前記撮像手段が出力した画像データを送信する一の装置を判別する装置判別手段と、
前記装置判別手段により判別された一の装置から送信された装置画像データを受信する画像受信手段と、
装置画像データをテレビジョン受信機に出力する画像出力手段と、
をさらに備え、
前記画像送信手段は、使用者画像データを前記装置判別手段により判別された一の装置に送信する、
ことを特徴としてもよい。
【０００８】
前記送信許諾請求手段は、前記装置判別手段により判別された一の装置に、使用者画像データの送信許諾を求めるデータを送信し、
前記送信許諾受信手段は、前記装置判別手段により判別された一の装置から、使用者画像データの送信の許可／拒否のデータを受信し、
前記画像送信手段は、前記装置判別手段により判別された一の装置から使用者画像データの送信を許可するデータを前記送信許諾受信手段が受信した場合、使用者画像データを前記装置判別手段により判別された一の装置に送信する、
ことを特徴としてもよい。
【発明の効果】
【０００９】
本発明によれば、遠隔地の人間は、日常使用しているテレビジョン受信機のリモートコントローラによりテレビジョン受信機をオン／オフする操作で、自身の画像を監視させるかさせないかを決めることができるため、プライバシーの問題を解決することができる。また、遠隔地の人間によるテレビジョン受信機のリモートコントローラのオン／オフ操作を監視の開始／終了のトリガーとするため、監視の開始／終了のトリガーが明確となる。
【発明を実施するための最良の形態】
【００１０】
以下、本発明の監視装置の実施形態について、図面を参照して説明する。
【００１１】
図１は、本発明に係る監視装置１００Ａ〜１００Ｎが、通信ネットワークＣに接続されている一例を示す図である。図１では、監視装置１００は３台しか表れていないが、監視装置１００の台数に制限はない。
【００１２】
通信ネットワークＣは、たとえば、ＴＣＰ／ＩＰ（Transmission Protocol/Internet Protocol）などの通信プロトコルに基づく通信ネットワークである。
【００１３】
図２は、監視装置１００の構成の一例を示す図である。監視装置１００は、制御部３１０と、記憶部３２０と、通信制御部３３０と、音声画像出力部３４０と、入出力部３５０と、アドレス記憶部３６０と、バス３９０とから構成される。制御部３１０と、記憶部３２０と、通信制御部３３０と、音声画像出力部３４０と、入力部３５０と、アドレス記憶部３６０とは、バス３９０で相互に接続される。また、音声画像出力部３４０には、テレビジョン受信機４００が接続される。
【００１４】
制御部３１０は、たとえば、ＣＰＵ（Central Processing Unit）から構成され、記憶部３２０に記憶された動作プログラムに基づき、各部を制御する。
【００１５】
記憶部３２０は、たとえば、ＲＡＭ（Random Access Memory）やハードディスク装置から構成され、制御部３１０の動作を制御するためのオペレーティングシステム（ＯＳ；Operating System）やアプリケーションプログラムを記憶し、制御部３１０が演算を行うためのワークエリアを提供し、データの記憶を行う。記憶部３２０に記憶されるアプリケーションプログラムには、たとえば、後述するタッチパネル３５１やカメラ３５２などの制御プログラムを含む。
【００１６】
また、記憶部３２０は、監視装置１００Ａの通信ネットワークＣ上でのアドレスを、監視装置１００Ａの名称に対応付けて記憶する。たとえば、監視装置１００Ａの名称が「１００Ａ」、通信ネットワークＣ上のアドレス（この場合、ＩＰアドレスとする）が１９２．１６８．０．１であるならば、記憶部３２０は、これらのデータを関連づけて記憶する。
【００１７】
さらに、記憶部３２０は、監視元の監視装置１００にカメラ３５２による画像データやマイク３５３による音声データを送信するために、監視元の監視装置１００の通信ネットワークＣ上のアドレスを記憶する。
【００１８】
通信制御部３３０は、たとえば、ＮＩＣ（Network Interface Card）のような通信装置を有し、制御部３１０の制御下に、通信ネットワークＣを介して他の装置とデータの送受信を行う。
【００１９】
音声画像出力部３４０は、たとえば、ＣＰＵ、ＤＳＰ（Digital Signal Processor）、ＶＲＡＭ（Video Random Access Memory）、スキャンコンバータから構成され、制御部３１０の制御下に画像データおよび音声データを受け付けて、音声画像出力部３４０に接続されたテレビジョン受信機４００がその画像を表示しその音声を放音するような信号を出力する。
【００２０】
入出力部３５０は、たとえば、ＵＳＢ（Universal Serial Bus）から構成され、たとえば、タッチパネル３５１、カメラ３５２、マイク３５３、リモコン信号受信部３５４などのデバイスが接続される。入出力部３５０は、これらのデバイスからの入力データを取り込んで制御部３１０に供給し、制御部３１０からのデータをこれらのデバイスに出力する。
【００２１】
タッチパネル３５１は、通信ネットワークＣに接続されている監視装置１００の一覧を表示し、画像データおよび音声データを送受信する監視装置１００の指定を受け付ける。
【００２２】
カメラ３５２は、監視装置１００のユーザの画像を相手の監視装置１００に画像データとして送信するために、監視装置１００のユーザの存在（所在）予定領域、一般的には、監視装置１００の正面領域を撮影する。
【００２３】
マイク３５３は、音声、一般的には監視装置１００のユーザから発せられる声を他の監視装置１００に音声データとして送信するために集音する。
【００２４】
リモコン信号受信部３５４は、テレビジョン受信機４００のリモートコントローラから発せられる信号、たとえば超音波による信号を受信し、テレビジョン受信機４００のスイッチのオンオフと連動して、他の監視装置１００に画像データおよび音声データを送信するか否かを判別し、判別結果を入出力部３５０を介して制御部３１０に送信する。
【００２５】
アドレス記憶部３６０は、たとえば、ハードディスクから構成され、監視装置１００の通信ネットワークＣ上でのアドレスを、監視装置１００に対応付けて記憶する。
【００２６】
図３は、アドレス記憶部３６０が記憶するデータのデータ構造の一例を示す図である。
たとえば、図３のデータの第１行は、監視装置１００の名称は「１００Ａ」、タッチパネル名（タッチパネル３５１に表示する当該監視装置１００の名称）は「太郎」、アドレス（この場合、ＩＰアドレスとする）は１９２．１６８．０．１であることを示す。同様に、図３のデータの第２行は、監視装置１００の名称は「１００Ｂ」、タッチパネル３５１に表示する当該監視装置１００の名称は「花子」、アドレス（この場合、ＩＰアドレスとする）は１９２．１６８．０．２であることを示す。
【００２７】
テレビジョン受信機４００は、音声画像出力部３４０に接続され、音声画像出力部３４０が出力した画像および音声の信号に基づき、画像および音声を出力する。
【００２８】
次に、監視装置１００Ａの起動時の動作を図５のフローチャートを用いて説明する。
【００２９】
ユーザがテレビジョン受信機４００のリモートコントローラを用いて、リモコン信号受信部３５４および入出力部３５０を介して監視装置１００Ａのスイッチをオンにすると、制御部３１０は監視装置１００Ａの起動処理を行う（ステップＳ１）。
【００３０】
入出力部３５０に接続されたタッチパネル３５１およびカメラ３５２は、タッチパネル３５１およびカメラ３５２の独自の起動処理を行う。
また、テレビジョン受信機４００のリモートコントローラによって、テレビジョン受信機４００にも電源が入り、音声画像出力部３４０からの画像および音声の出力信号を受信して再生できるようになる。
【００３１】
監視装置１００Ａの起動処理が完了すると、監視装置１００Ａの制御部３１０は、記憶部３２０に記憶されている監視元の監視装置１００のＩＰアドレスに対し、画像および音声を送信する許諾を求めるメッセージ（データ）を通信制御部３３０を介して送信する（ステップＳ２）。
【００３２】
図７は、監視装置１００Ａから監視元の監視装置１００に届いた画像および音声を送信する許諾を求めるメッセージの一例である。メッセージには「はい」ボタンと「いいえ」ボタンがあり、「はい」ボタンを押せば許可する旨のメッセージ（データ）が、「いいえ」ボタンを押せば拒否する旨のメッセージ（データ）が監視装置１００Ａに送信される。
【００３３】
監視装置１００Ａの制御部３１０は、監視元の監視装置１００から拒否するメッセージを通信制御部３３０を介して受け取ったか否かを判別する（ステップＳ３）。拒否するメッセージを受け取った場合は（ステップＳ３；Ｙｅｓ）、処理はそこで終了する。
【００３４】
拒否するメッセージを受け取っていない場合（ステップＳ３；Ｎｏ）、監視装置１００Ａの制御部３１０は、監視元の監視装置１００から許可するメッセージを通信制御部３３０を介して受け取ったか否かを判別する（ステップＳ４）。許可するメッセージを受け取っていない場合は（ステップＳ４；Ｎｏ）、処理はステップＳ３に戻り、メッセージが届くのを待つ。
【００３５】
許可するメッセージを受け取った場合（ステップＳ４；Ｙｅｓ）、監視装置１００Ａの制御部３１０は、監視元の監視装置１００のＩＰアドレスに画像データおよび音声データを送信する（ステップＳ５）。画像データは、入出力部３５０に接続されたカメラ３５２からの画像を撮像したものを、音声データは、入出力部３５０に接続されたマイク３５３からの音声を集音したものを監視元の監視装置１００に送信する。処理はステップＳ５に戻り、監視装置１００Ａの制御部３１０は、画像データおよび音声データの送信を継続する。
【００３６】
次に、ユーザがタッチパネル３５１で通信相手を指定したときの監視装置１００Ａの動作を、図６のフローチャートを用いて説明する。他の監視装置１００Ｂ〜１００Ｎは、常に動作している状態であるものとする。
【００３７】
制御部３１０は、アドレス記憶部３６０に記憶されているデータに基づいて、アドレス記憶部に記憶されている「タッチパネル名」の欄に記載されている名前のボタンをタッチパネル３５１に表示する（ステップＳ１０１）。なお、制御部３１０は、タッチパネル３５１のボタン４１０の位置および大きさとタッチパネル３５１に表示される名前とを対応付けて、記憶部３２０で記憶する。
【００３８】
監視装置１００Ａのタッチパネル３５１に表示される画面例を図４に示す。図４は、図３のアドレス記憶部３６０に記憶されているテーブルの「タッチパネル名」の欄に記載されている名前のボタン４１０が、そのテーブルの第１行から順に並ぶ。ただし、記憶部３２０を参照すると、自らの監視装置１００Ａの装置名および通信ネットワークＣ上のアドレスが記憶されているから、監視装置１００Ａに対応するタッチパネル名のボタン４１０は表示されない。
たとえば、図４の場合、監視装置１００Ａに対応するタッチパネル名「太郎」（ＩＰアドレスは１９２．１６８．０．１）のボタン４１０は表示されず、アドレス記憶部３６０に記憶されているテーブルの２行目のタッチパネル名「花子」のボタン４１０から順に、最終行の「次郎」のボタン４１０まで表示される。
【００３９】
タッチパネル３５１は、タッチパネル３５１が押されたかどうかを判別する（ステップＳ１０２）。押されていなければ（ステップＳ１０２；Ｎｏ）、処理はステップＳ１０２に戻り、タッチパネル３５１が押されるまで待つ。押された場合（ステップＳ１０２；Ｙｅｓ）、タッチパネル３５１は制御部３１０にタッチパネル３５１上の押された位置を送信し、制御部３１０は押した位置が表示したボタン４１０の内部か否かを判別する（ステップＳ１０３）。ボタン４１０の位置および大きさはステップＳ１０１において記憶部３２０で記憶しているからである。
【００４０】
タッチパネル３５１が押された場所がボタン４１０の内部でないと判別した場合（ステップＳ１０３；Ｎｏ）、処理はステップＳ１０２に戻る。ボタン４１０の内部であると判別した場合（ステップＳ１０３；Ｙｅｓ）、制御部３１０は、アドレス記憶部３６０に記憶されているテーブルを参照し、押されたボタン４１０のタッチパネル名に対応するアドレス（図４の場合、ＩＰアドレス）を取得する（ステップＳ１０４）。たとえば、図３のアドレス記憶部３６０に記憶されているテーブルには「花子」に対応するＩＰアドレスとして１９２．１６８．０．２が記載されているから、ボタン４１０「花子」が押された場合は、ＩＰアドレスとして１９２．１６８．０．２（監視装置１００Ｂ）を採用する。一方、ボタン４１０「次郎」が押された場合は、ＩＰアドレスとして１９２．１６８．０．１４（監視装置１００Ｎ）を採用する。
【００４１】
続いて、監視装置１００Ａの制御部３１０は、ステップＳ１０４で採用されたＩＰアドレスに対し、画像および音声を送信する許諾を求めるメッセージ（データ）を通信制御部３３０を介して送信する（ステップＳ１０５）。
【００４２】
図７は、監視装置１００Ａから相手の監視装置１００に届いた画像および音声を送信する許諾を求めるメッセージの一例である。このメッセージは、たとえば、タッチパネル３５１に表示される。メッセージには「はい」ボタンと「いいえ」ボタンがあり、「はい」ボタンを押せば許可する旨のメッセージ（データ）が、「いいえ」ボタンを押せば拒否する旨のメッセージ（データ）が監視装置１００Ａに送信される。
【００４３】
監視装置１００Ａの制御部３１０は、相手の監視装置１００から拒否するメッセージを通信制御部３３０を介して受け取ったか否かを判別する（ステップＳ１０６）。拒否するメッセージを受け取った場合は（ステップＳ１０６；Ｙｅｓ）、処理はステップＳ１０２に戻る。
【００４４】
拒否するメッセージを受け取っていない場合（ステップＳ１０６；Ｎｏ）、監視装置１００Ａの制御部３１０は、相手の監視装置１００から許可するメッセージを通信制御部３３０を介して受け取ったか否かを判別する（ステップＳ１０７）。許可するメッセージを受け取っていない場合は（ステップＳ１０７；Ｎｏ）、処理はステップＳ１０６に戻り、メッセージが届くのを待つ。
【００４５】
許可するメッセージを受け取った場合（ステップＳ１０７；Ｙｅｓ）、監視装置１００Ａの制御部３１０は、相手の監視装置１００のＩＰアドレスに画像データおよび音声データを送信する（ステップＳ１０８）。画像データは、入出力部３５０に接続されたカメラ３５２からの画像を撮像したものを、音声データは、入出力部３５０に接続されたマイク３５３からの音声を集音したものを送信する。
【００４６】
一方、監視装置１００Ａの制御部３１０は、相手の監視装置１００からの画像データおよび音声データを受信し、これらを音声画像出力部３４０に出力する（ステップＳ１０９）。音声画像出力部３４０は、これらの画像データおよび音声データをテレビジョン受信機４００が再生できるような信号に変換してテレビジョン受信機４００に出力する。この後、処理はステップＳ１０８に戻り、画像データおよび音声データの送受信を継続する。
なお、ステップＳ１０８とＳ１０９とは順番を入れ替えて実行してもよい。
【００４７】
次に、監視装置１００Ａの終了時の動作を説明する。
【００４８】
ユーザがテレビジョン受信機４００のリモートコントローラを用いて、リモコン信号受信部３５４および入出力部３５０を介して監視装置１００Ａのスイッチをオフにすると、制御部３１０は監視装置１００Ａの終了処理を行う。すなわち、他の監視装置１００に画像データおよび音声データを出力しているときは、これらのデータの出力を終了する。また、他の監視装置１００からの画像データおよび音声データの受信も終了する。このように、他の監視装置１００とのデータの送受信の一切を終了する。
【００４９】
入出力部３５０に接続されたタッチパネル３５１およびカメラ３５２は、タッチパネル３５１およびカメラ３５２の独自の終了処理を行う。
また、テレビジョン受信機４００のリモートコントローラによって、テレビジョン受信機４００の電源が切れ、音声画像出力部３４０からの画像および音声の出力信号が再生されなくなる。
【００５０】
以上説明したように、本発明に係る監視装置１００は、テレビジョン受信機４００のリモートコントローラでスイッチをオン／オフし、スイッチをオンしたときに、記憶部３２０に記憶されている監視元の監視装置１００に対し、画像データおよび音声データを送信し、スイッチをオフしたときに画像データおよび音声データの送信を終了する。
このような構成を採ることで、監視装置１００のユーザは、監視元に対してテレビジョン受信機４００のリモートコントローラのスイッチのオン／オフで遠隔監視の許可／拒否を設定することができ、プライバシーの問題を軽減できる。また、テレビジョン受信機４００のリモートコントローラのオン／オフ操作を監視の開始／終了のトリガーとするため、監視の開始／終了のトリガーが明確となる。
【００５１】
また、本発明に係る監視装置１００は、通信相手がタッチパネル３５１で指定されると、通信相手の監視装置１００と画像データおよび音声データの送受信を行う。
このような構成を採ることで、監視装置１００のユーザは、容易に通信相手と画像および音声の送受信を行うことができる。
【００５２】
さらに、本発明に係る監視装置１００は、通信相手に対して画像及び音声を送信するにあたって、送信許諾を求め、送信許諾があったときのみ、画像データや音声データを送信する。
このような構成を採ることによって、監視装置１００のユーザの通信相手は、監視装置１００によって無制限に画像や音声のデータが送信されるのを未然に防ぐことができる。
【００５３】
この発明は、上記実施の形態に限定されず、種々の変形及び応用が可能である。
【００５４】
監視装置１００は、ＳＴＢ（Set Top Box）のような専用ハードウェアとして構成してもよい。
また、監視装置１００として動作するプログラムをインストールおよび実行したＰＣで構成してもよく、監視装置１００として動作するプログラムをインストールおよび実行した携帯電話機で構成してもよい。この際、ＰＣや携帯電話機にタッチパネル３５１やテレビジョン受信機４００を設ける必要は必ずしもなく、たとえば、ディスプレイおよびキーボード（またはテンキー）で代用してもよい。
【００５５】
リモコン信号受信部３５４が受信する信号は、テレビジョン受信機４００のリモートコントローラから発せられる信号でなくともよく、監視装置１００に別途リモートコントローラを設けてもよい。また、タッチパネル３５１にリモートコントローラが内蔵されていてもよい。
【００５６】
上記実施の形態では、監視装置１００同士で画像や音声の送受信を行ったが、監視装置１００の送受信相手は監視装置１００に限られない。たとえば、カメラおよびマイクを備えており、監視装置１００として動作するプログラムをインストールおよび実行した、携帯電話機やＰＣであってもよい。これによって、携帯電話やＰＣなど、従来ある装置をそのまま利用することが可能であるから、ユーザの経済的負担を軽減することができる。
【００５７】
通信ネットワークＣの種類は任意である。たとえば、通信ネットワークＣはインターネットであってもよく、公衆電話回線網や携帯電話網であってもよい。
【００５８】
また、上記実施の形態では、監視装置１００は通信ネットワークＣに接続されていたが、２以上の通信ネットワークに同時に接続されることとしてもよい。たとえば、監視装置１００は、インターネットや公衆電話回線網や携帯電話網と同時に接続することとしてもよい。このようにすることで、監視装置１００は、異なった通信ネットワークに接続されている装置、たとえば、携帯電話網（移動体通信網）に接続されている携帯電話およびインターネット（ＩＰ網）に接続されているＰＣに同時に画像や音声を送信することができる。
【００５９】
記憶部３２０に記憶される自らの監視装置１００の名称およびアドレスや、監視元のアドレスは、自由に変更してもよい。
【００６０】
また、アドレス記憶部３６０に記憶されるデータは、自由に変更してもよい。
【００６１】
画像の形式や内容は任意である。たとえば、ＪＰＥＧ（Joint Photographic Experts Group）の静止画像や、ＭＰＥＧ（Moving Picture Experts Group）−２、ＭＰＥＧ−４ビデオや３ＧＰＰ／３ＧＰＰ２（3rd Generation Partnership Project/3rd Generation Partnership Project 2）対応ビデオやＭｏｔｉｏｎ−ＪＰＥＧの動画像や、音声、テキスト、あるいはこれらが融合したものでもよい。
【００６２】
画像フォーマットで、たとえば、監視装置１００間ではＭＰＥＧ−２ビデオで画像をやりとりしているが、たとえば、携帯電話が３ＧＰＰ／３ＧＰＰ２ビデオしか受け取れない場合は、制御部３１０が記憶部３２０からビデオフォーマット変換プログラムを呼び出してそのビデオのデータフォーマットの変換を行い、それから通信制御部３３０で変換後のビデオを送信するようにしてもよい。また、バス３９０にビデオのフォーマットを変換するハードウェアを接続し、制御部３１０がそのビデオのデータフォーマットの変換をそのハードウェアに行わせ、それから通信制御部３３０で変換後のビデオを送信するようにしてもよい。逆の場合も同様である。
【図面の簡単な説明】
【００６３】
【図１】監視装置とネットワークとの関係の一例を示す図である。
【図２】監視装置の構成の一例を示す図である。
【図３】アドレス記憶部が保存するデータのデータ構造の一例を示す図である。
【図４】タッチパネルの表示の一例である。
【図５】監視装置の起動時の動作を示すフローチャートである。
【図６】ユーザがタッチパネルで通信相手を指定したときの監視装置の動作を示すフローチャートである。
【図７】監視装置が画像データおよび音声データの送信許可を求めるユーザインタフェースの一例を示す図である。
【符号の説明】
【００６４】
１００  監視装置
３１０  制御部
３２０  記憶部
３３０  通信制御部
３４０  音声画像出力部
３５０  入出力部
３５１  タッチパネル
３５２  カメラ
３５３  マイク
３５４  リモコン信号受信部
３６０  アドレス記憶部
３９０  バス
４００  テレビジョン受信機
Ｃ      通信ネットワーク
【図１】
2007201739.tif 000003
【図２】
2007201739.tif 000004
【図３】
2007201739.tif 000005
【図４】
2007201739.tif 000006
【図５】
2007201739.tif 000007
【図６】
2007201739.tif 000008
【図７】
2007201739.tif 000009